(57)【要約】【課題】魚信を感知しやすく、かつ、小さな力で魚を釣ることができる、釣竿およびこれを用いて魚を釣る魚釣りの方法を提供する。【解決手段】本発明を適用した釣竿の一例である釣竿Ａは、元竿部１および穂先部２を備える。  元竿部１と穂先部２は略一直線上に設けられており、釣竿Ａは、略棒状の形状を有している。元竿部１の、穂先部寄りの位置にグリップ１０が設けられている。  穂先部２は剛性材料で作られており、１００〜２００ｋｇの魚を釣り上げることができる程度の強度を有している。また、穂先部２には釣糸Ｔを穂先部２に沿って設置させるための６個のガイド２０ａ、ガイド２０ｂ、ガイド２０ｃ、ガイド２０ｄ、ガイド２０ｅ、ガイド２０ｆが設けられている【選択図】図１
2016032443.tif 000002
【特許請求の範囲】
【請求項１】
グリップを有する元竿部と、
該元竿部の先端に接続され、釣糸を通すガイドを有すると共に、剛性材料で形成されている、長さが１００〜１０００ｍｍである穂先部とを備える
釣竿。
【請求項２】
前記元竿部の前記グリップ又はグリップ近傍に取り付けられたリール部を備える
請求項１に記載の釣竿。
【請求項３】
グリップを有する元竿部と、該元竿部の先端に接続され、釣糸を通すガイドを有すると共に、剛性材料で形成されている、長さが１００〜１０００ｍｍである穂先部とを備える釣竿を用いて、魚信を察知して魚を釣る工程を含む
魚釣りの方法。
【請求項４】
リール部とグリップを有する元竿部と、該元竿部の先端に接続され、釣糸をかけるガイドを有すると共に、剛性材料で形成されている、長さが１００〜１０００ｍｍである穂先部とを備える釣竿を用いて、リール部から釣糸を繰り出しながら、釣糸に取りつけた餌と錘の重さを利用して餌を水中で自由落下させ、餌が所要の深さまで達したところで、前記リール部により釣糸を操作して餌を動かすことにより魚を釣る工程を含む
魚釣りの方法。
【発明の詳細な説明】
【技術分野】
【０００１】
本発明は、釣竿およびこれを用いて魚を釣る魚釣りの方法に関する。詳しくは、魚信を察知しやすく、かつ小さな力で魚を釣ることができる釣竿およびこれを用いて魚を釣る魚釣りの方法に関するものである。
【背景技術】
【０００２】
高級魚であるクエは「根魚」と言われ、海底の岩礁などに棲みついている。このような魚を釣り上げるには、釣竿から餌を付けた釣糸を垂らし、例えば海底から約１メートルの高さに餌が位置するよう調整し、海底からクエが上昇して餌を捕食するのを待って、クエが餌を銜えて引いたときの動き（魚信）を察知して釣り上げるという方法が採られていた。
【０００３】
しかし、クエのような魚には、餌に食いつくと、即座に岩礁などの巣穴に戻る習性があり、魚が餌に食いついた瞬間を察知するのを逃すと、簡単に巣穴に逃げ込まれてしまう。このため、せっかく魚が餌に食いついても、釣糸が岩礁に擦りあわされることにより、釣糸が切断する恐れがあった。
【０００４】
また、従来の釣竿は、弾性を有する材料で作られており、魚が餌に食いつくなどすると、その引っ張る力で釣竿がしなるようになっている。釣人は、竿がしなったことで、魚が餌に食いついた際の魚信を察知する。
【０００５】
しかし、この時点で、既に魚は巣穴の方向へ餌を銜えて進んでおり、勢いがついている。この状態の魚を釣り上げるためには、相当な力が必要とされ、釣糸の切断や、釣竿の破損が起こりやすい。
【０００６】
すなわち、弾性を有する釣竿では、クエが餌に食いついた瞬間を釣人が察知するのが、上記のようにわずかに遅れてしまうため、クエなどの根魚が餌に食いついても、逃げられる確率が高く、天然の根魚を釣り上げるのが難しかった。
【０００７】
また、一般に「タテ釣り」と言われ、タイなどの一本釣りを手釣りで行う漁法として、「テンヤ釣り」がある。これは、釣糸を操作しながら、エビが動くような動作を演出し、魚を釣り上げるやり方である。
【０００８】
このテンヤ釣りは、釣り場によっては、水深が１００メートル前後になることもあり、このような場所で海底に沈んだ餌を引き上げる場合には、２００回ほど釣糸を手で手繰り寄せなければならず、手間がかかる。このため、餌の取り換えや、魚がかかっているか否かのチェックを頻繁に行えず、効率的に魚を釣ることができなかった。
【０００９】
このような点を改善するため、特許文献１に示すように、釣竿の魚信を視覚的に高感度に感知できる釣竿が提案されている。
【先行技術文献】
【特許文献】
【００１０】
【特許文献１】実用新案登録第３１０３３７１号公報
【発明の概要】
【発明が解決しようとする課題】
【００１１】
しかしながら、特許文献１に記載された考案を適用した釣竿は、魚信の大きさに合わせて、釣竿の先端から段階的に折れ曲がる構造を有しているため、長い釣竿の先端部を絶えず目視しなければならず、わずかな魚信を見逃しやすい。
【００１２】
また、釣竿の先端部が弾性を有する構造になっているため、小さな魚信では衝撃が吸収されてしまい、釣人の手元にまで魚信が届きにくいことが考えられる。
【００１３】
最初の魚信を見逃してしまえば、魚は容易に岩場へ逃げ込んでしまう。上記したクエは普通でも５ｋｇ以上、大きなものでは１００ｋｇを超えるものもおり、このような魚が岩場に逃げ込めば、釣糸と岩が擦り合わされ、耐擦過性に優れた釣糸であっても、容易に切断されることが考えられる。
【００１４】
また、特許文献１に記載された釣竿の他、通常の釣竿は例えば３０００ｍｍ、或いはそれ以上の長さを有しているので、魚信がきたときに、穂先部にかかる釣糸の引きの力による力のモーメントが大きくなり、釣竿を操作するためにより大きな力が必要になるので、操作しにくくなる。
【００１５】
本発明は、以上の点に鑑みて発明されたものであり、魚信を察知しやすく、かつ、小さい力で魚を釣ることができる釣竿およびこれを用いて魚を釣る魚釣りの方法を提供することを目的とする。
【課題を解決するための手段】
【００１６】
本発明は以上の点に鑑みて創案されたものであり、上記問題を達成するために、本発明の釣竿およびこれを利用して魚を釣る魚釣りの方法は、グリップを有する元竿部と、該元竿部の先端に接続され、釣糸を通すガイドを有すると共に、剛性材料で形成されている、長さが１００〜１０００ｍｍである穂先部とを備える。
【００１７】
ここで、グリップによって、釣り人が釣竿を握る際、グリップを両手若しくは片手で握ることができるため、釣人が釣竿を容易に把持しやすくなる。
【００１８】
また、釣糸を通すガイドによって、釣糸を穂先部に沿って張設することができるので、釣糸の絡み付きを起こしにくくすることができる。
【００１９】
また、穂先部が剛性材料で形成されたことによって、餌に魚が食ついた際に発生する釣糸による引っ張りの力（魚信）がダイレクトに穂先部に伝わるので、釣人は即座に魚信を察知しやすくなる。なお、剛性材料とは、例えば１００〜２００ｋｇの魚を釣り上げる際、魚の引っ張る力と釣人の引っ張る力が穂先部に加わっても破損せず、かつ、容易には変形せずにわずかな魚信であっても確実に釣人の手元に伝達されるような材料である。
【００２０】
また、剛性材料で形成されている、穂先部の長さが１００〜１０００ｍｍであることによって、本発明に係る釣竿は撓みにくく、また、通常の釣竿が例えば３０００ｍｍ、或いはそれ以上の長さであるのに比べると、本発明に係る釣竿は、より短く形成されているので、通常の釣竿よりも小さな力で魚を釣ることができる。
【００２１】
なお、穂先部の長さが１００ｍｍに満たない場合は、釣竿全体の長さが短くなり過ぎるため、釣竿の操作による釣糸の引き上げの幅が小さくなり、魚信に対する釣糸の引き上げのタイミングが難しくなるなど、操作がしにくくなる傾向がある。
【００２２】
また、穂先部の長さが１０００ｍｍを超える場合は、釣竿全体の長さが長くなり過ぎるため、魚信がきたときに、穂先部にかかる釣糸の引きの力による力のモーメントが大きくなり、釣竿を操作するためにより大きな力が必要になるので、操作しにくくなる傾向がある。
【００２３】
また、釣人と魚は、通常の釣竿を使用した場合に比べて、近い位置にいる。このような近い位置で魚を引き寄せる際、穂先にかかる釣糸の引きの力による力のモーメントが小さくなり、釣竿を操作するためにより小さな力で充分なので、逃げようとする魚を手元まで引き寄せる作業の負担は軽減される。
【００２４】
また、元竿のグリップ又はグリップ近傍に取り付けられたリール部を備える場合には、釣糸を高速で巻き上げることができ、上記釣竿の操作の軽さとも相俟って、魚の釣り上げをより効率よく行うことが可能になる。
【００２５】
また、上記の目的を達成するために、本発明の釣竿を用いて魚を釣る魚釣りの方法は、グリップを有する元竿部と、該元竿部の先端に接続され、釣糸を通すガイドを有すると共に、剛性材料で形成されている、長さが１００〜１０００ｍｍである穂先部とを備える釣竿を用いて、魚信を察知して魚を釣る工程を含む。
【００２６】
ここで、剛性材料で形成されている穂先部を備えることによって、魚が餌を銜えて引いたときの魚信を即座に察知できるので、魚が餌を銜えて巣穴に隠れる前に釣り上げることができる。
【００２７】
また、長さが１００〜１０００ｍｍである穂先部を備えることによって、穂先にかかる釣糸の引きの力による力のモーメントが小さくなるので、通常の釣竿を使用した場合よりも小さな力で魚を引き寄せることができるので、釣り上げやすい。
【００２８】
また、上記の目的を達成するために、本発明の釣竿を用いて魚を釣る魚釣りの方法は、リール部とグリップを有する元竿部と、該元竿部の先端に接続され、釣糸をかけるガイドを有すると共に、剛性材料で形成されている、長さが１００〜１０００ｍｍである穂先部とを備える釣竿を用いて、リール部から釣糸を繰り出しながら、釣糸に取りつけた餌と錘の重さを利用して餌を水中で自由落下させ、餌が所要の深さまで達したところで、前記リール部により釣糸を操作して餌を動かすことにより魚を釣る工程を含む。
【００２９】
ここで、リール部により釣糸を操作して餌を動かすことによって、手で釣糸を手繰り寄せる場合と比べて手間が軽減されるので、餌の付け替えや、魚が釣れたか否かの確認を頻繁に行うことができる。
【００３０】
また、リール部を用いることによって、釣糸を迅速に巻き取ることができ、魚の口から釣針が外れにくくなるので、一度餌に食いついた魚を逃す確率が低くなる。
【００３１】
また、魚は種類によって生息する深さが異なるため、リール部を用いて餌の位置を調整することによって、釣人が釣りたいと思う魚が生息する深さに、餌を位置させることができるので、魚の種類を絞り込んで釣り上げることがしやすくなる。
【発明の効果】
【００３２】
本発明は、魚信を察知しやすく、かつ、小さい力で魚を釣ることができる釣竿およびこれを用いて魚を釣る魚釣りの方法を提供することができる。
【図面の簡単な説明】
【００３３】
【図１】本発明に係る釣竿の第１実施の形態を示す斜視図である。
【図２】本発明に係る、第１の実施の形態である釣竿Ａを用いて魚を釣る魚釣り方法の使用状態説明図である。図（ａ）は、釣竿Ａを用いて魚を釣りあげる直前の状態を示し、図（ｂ）は、釣竿Ａを用いて魚を釣り上げた後の状態を示す図である。
【図３】本発明に係る、第２の実施の形態である釣竿Ｂの先端部を拡大した、斜視拡大図である。
【図４】本発明に係る、第２の実施の形態である釣竿Ｂを用いて魚を釣る魚釣り方法の使用状態説明図である。
【発明を実施するための形態】
【００３４】
以下、本発明の実施の形態について図１ないし図４を参照しながら説明し、本発明の理解に供する。
【００３５】
図１に示すように、本発明を適用した釣竿の一例である釣竿Ａは、元竿部１および穂先部２を備える。
【００３６】
元竿部１と、本発明を適用した穂先部の一例である穂先部２は略一直線上に設けられており、釣竿Ａは、略棒状の形状を有している。元竿部１の、穂先部２寄りの位置にグリップ１０が設けられている。元竿部１の、グリップ１０寄りの位置にリール部３が取り付けられている。
【００３７】
穂先部２は剛性材料で作られており、例えば１００〜２００ｋｇの魚を釣り上げることができる程度の強度を有している。また、穂先部２の長さは約６５０ｍｍであり、釣竿Ａの全長の約半分を占める。
【００３８】
剛性材料としては、例えばグラスファイバー、炭素繊維、アルミニウム等の金属、或いはそれらを複合した材料等であるが、容易に曲がらない剛性を有していれば、これらに限定されるものではない。
【００３９】
穂先部２には釣糸Ｔを穂先部２に沿って設置させるための６個のガイド２０ａ、２０ｂ、２０ｃ、２０ｄ、２０ｅ、２０ｆが、互いに適当な間隔を空けて設けられている。
【００４０】
ガイド２０ａ、２０ｂ、２０ｃ、２０ｄ、２０ｅ、２０ｆには、それぞれリング状に形成された、釣糸を通すための孔が設けられている。リール部３から引き出した釣糸Ｔを、ガイド２０ｆ、２０ｅ、２０ｄ、２０ｃ、２０ｂ、２０ａの順に、リング状の孔に釣糸Ｔを通すことで、釣糸Ｔを穂先部２に沿って張設することができる。
【００４１】
（作用）
釣竿Ａの使い方及び作用について説明する。なお、釣竿Ａの使い方の説明では、あわせて本発明に係る魚釣りの方法についても説明する。
【００４２】
釣人は、釣糸Ｔをリール部３から引き出し、ガイド２０ｆ、２０ｅ、２０ｄ、２０ｃ、２０ｂ、２０ａの順に通し、釣糸Ｔの先端に餌（図示せず）を付ける。
【００４３】
元竿部１の竿尻１１を身体に当て、グリップ１０を両手もしくは片手で握り、先端に餌（図示せず）を付けた釣糸Ｔを海中に垂らし、クエなどの根魚が生息する岩礁域まで餌を下ろし、魚が餌に食いつくのを待つ。
【００４４】
図２（ａ）および図２（ｂ）に示すように、釣人は魚信を察知した瞬間、穂先部２の先端２４を上にあげながら、リール部３を操作して釣糸を迅速に巻き上げる。
【００４５】
ここで、魚が餌に食いついた振動である魚信は、穂先部２が剛性材料で形成されているので、わずかな魚信であってもダイレクトに釣人の手元に届くため、釣人は即座に魚信を察知し、素早く釣糸Ｔを巻き取ることができる。
【００４６】
これにより、魚は、餌を銜えて引くのとほぼ同時に釣人のいる方向へ引っ張られることになるので、頭を巣穴の方向に向けることができず、勢いをつけて進むことができなくなるため、釣糸Ｔを引っ張る力も弱くなる。
【００４７】
また、釣竿Ａは全長が約１３００ｍｍと短いため、重量も軽く、容易に持ち運ぶことができ、収納する際に場所を取ることもない。
【００４８】
ここで、穂先部２の長さは、１００〜１０００ｍｍの範囲内で特に限られるものではない。しかし、穂先部２の長さは短い方が魚を釣り上げる際、小さな力で引き上げることができ、なおかつ、長い方が釣竿の操作による釣糸の引き上げの幅が大きくなることを勘案すると、２００〜７００ｍｍであるのがより好ましい。
【００４９】
また、穂先部２の構造は、特に限定するものではなく、穂先部２が段階的に繰り出される、入れ子構造にすることもできるが、穂先部２の強度を維持するために、一体型とするのが好ましい。
【００５０】
また、穂先部２の素材は特に限定するものではなく、例えば１００〜２００ｋｇの魚を釣り上げるのに必要な剛性、及び強度を有すればよい。なお、穂先部２の耐力は、釣りの対象魚の種類に合わせて適宜設定できるものである。
【００５１】
また、穂先部２のガイドの個数は特に限定するものではない。穂先部２の長さに応じて適宜変更することができる。
【００５２】
また、ガイド２０ａ、２０ｂ、２０ｃ、２０ｄ、２０ｅ、２０ｆの形状は特に限定するものではない。釣糸Ｔを穂先部２に沿って張設できる構造であれば良い。
【００５３】
図３および図４に示すように、本発明を適用した釣竿の一例である釣竿Ｂは、元竿部１および穂先部２を備える。
【００５４】
穂先部２には、本発明を適用したガイドの一例であるローラー２２ａ、２２ｂ、２２ｃ、２２ｄ、２２ｅ、２２ｆが設けられている。
【００５５】
ローラー２２ａ、２２ｂ、２２ｃ、２２ｄ、２２ｅ、２２ｆは、滑車の形状を有しており、各ローラーの周囲には径小な溝が形成されている。なお、図３では、部分拡大図に示したローラー２２ａ、２２ｂの溝２３ａ、２３ｂのみ示しており、他のローラー２２ｃ、２２ｄ、２２ｅ、２２ｆの溝の明確な図示、及び符号は便宜上省略している。
【００５６】
また、ローラー２２ａ、２２ｂ、２２ｃ、２２ｄ、２２ｅ、２２ｆそれぞれの、釣竿の先端寄りの位置には、釣糸Ｔがローラー２２ａ、２２ｂ、２２ｃ、２２ｄ、２２ｅ、２２ｆから外れないようにするための誘導環２１ａ、２１ｂ、２１ｃ、２１ｄ、２１ｅ、２１ｆが設けられている。
【００５７】
釣糸Ｔには、小さな鉛の塊である「かみつぶし」Ｄが一定の間隔を空けて複数設けられている。
【００５８】
釣糸Ｔをリール部３から引き出し、ローラー２２ｆ、２２ｅ、２２ｄ、２２ｃ、２２ｂ、２２ａの順にそれらの溝に釣糸Ｔをかけ、釣糸Ｔを穂先部２に沿って張設する。
【００５９】
（作用）
釣竿Ｂの使い方及び作用について説明する。なお、釣竿Ｂの使い方の説明では、あわせて本発明に係る魚釣りの方法についても説明する。
【００６０】
まず、釣竿Ｂを用いて、リール部３から釣糸Ｔを繰り出しながら、釣糸Ｔに取りつけた餌と錘（かみつぶしＤ）の重さを利用して餌を水中で自由落下させ、釣糸Ｔを根魚のいる岩礁域まで下ろす。
餌が所要の深さまで達したところで、リール部３を操作し、釣糸Ｔを巻き上げ操作し、或いは穂先を上方へ操作して、餌を上昇させる等して動かし、食いつきを待つ。そして、釣人が、魚が餌を銜えて引くときの魚信を察知したら、釣人は、即座にリール部３を用いて釣糸Ｔを巻き上げる。
【００６１】
釣糸Ｔが巻き上げられる際、かみつぶしＤは、ローラー２２ａ、２２ｂ、２２ｃ、２２ｄ、２２ｅ、２２ｆのそれぞれに設けられた溝２３ａ、２３ｂ・・・を通ると同時に、誘導環２１ａ、２１ｂ、２１ｃ、２１ｄ、２１ｅ、２１ｆをくぐり抜けながら、リール部３に巻き取られる。
【００６２】
ここで、釣糸Ｔは、かみつぶしＤが複数個所に設けられているが、溝２３ａ、２３ｂ・・・を通って引き上げられるので、釣糸Ｔが引き上げられる途中で釣竿に引っかかることはない。
【００６３】
また、リール部３を使って、釣糸Ｔを巻き上げるので、従来２００回ほど手繰り寄せなければならなかった煩雑で手間の掛かる作業が、例えば２０〜３０秒程で簡単に済む。このため、釣人は、餌が付いているか否かのチェックや、魚が釣れたか否かのチェックを負担なく行うことができるので、頻繁に餌を付け替え、効率的に魚を取ることができる。
【００６４】
また、釣糸Ｔは、溝２３ａ、２３ｂ・・・を通る際、誘導環２１ａ、２１ｂ、２１ｃ、２１ｄ、２１ｅ、２１ｆをくぐり抜けるので、釣糸Ｔがローラー２２ａ、２２ｂ、２２ｃ、２２ｄ、２２ｅ、２２ｆから容易に外れてしまうことを防ぐことができる。
【００６５】
また、リール部３を使って、釣糸Ｔを操作することができるので、釣人が釣りたいと思う魚が生息する深さに餌を位置させることができ、魚の種類を絞り込んで釣り上げることがしやすくなる。
【００６６】
また、従来のテンヤ釣りの手法であれば、手繰り寄せた釣糸は足元の籠に入れながら作業をしていたため、釣糸が絡み付きやすい問題があったが、釣竿Ｂを使うことで、リール部３で巻き上げるため釣糸Ｔが絡み付きにくくなる。
【００６７】
ここで、かみつぶしＤの個数は特に限定するものではない。釣糸の長さなどに合わせて、適宜調整することができる。
【００６８】
このように、本願発明を適用した釣竿およびこれを用いて魚を取る魚釣りの方法は、魚信を感知しやすく、かつ、小さな力で魚を釣ることができるものとなっている。
【符号の説明】
【００６９】
１  元竿部
２  穂先部
１０  グリップ
１１  竿尻
１２  リール部
２０ａ  ガイド
２０ｂ  ガイド
２０ｃ  ガイド
２０ｄ  ガイド
２０ｅ  ガイド
２０ｆ  ガイド
２１ａ  誘導環
２１ｂ  誘導環
２１ｃ  誘導環
２１ｄ  誘導環
２１ｅ  誘導環
２１ｆ  誘導環
２２ａ  ローラー
２２ｂ  ローラー
２２ｃ  ローラー
２２ｄ  ローラー
２２ｅ  ローラー
２２ｆ  ローラー
２３ａ  溝
２３ｂ  溝
２４  穂先部２の先端
Ａ  釣竿
Ｂ  釣竿
Ｄ  かみつぶし
Ｔ  釣糸
【図１】
2016032443.tif 000003
【図２】
2016032443.tif 000004
【図３】
2016032443.tif 000005
【図４】
2016032443.tif 000006